(57)【要約】【課題】  著作権の管理と、著作権料の徴収とを行うことができる課金システムを提供する。【解決手段】  利用者が、原稿をセットすると、複写機４は、原稿の内、実際に複写される部分を読み込み、読み込まれた原稿が著作物であるか否かを判断し、原稿が著作物であるときには課金情報を作成する。複写機４は、料金徴収代行システム３からの要求などに応じて、記憶した課金情報を、料金徴収代行システム３に対して送信する。料金徴収代行システム３は、金融機関１０４との間で課金処理を行う。以上の処理の結果、著作権管理システム６に対して著作権料が支払われ、料金徴収代行システム３には手数料が支払われることとなる。【選択図】図１０
2005182442.tif 000002
【特許請求の範囲】
【請求項１】
出力の対象となる出力対象の一部または全部を出力する情報出力装置と、課金装置とを有する課金システムであって、
前記情報出力装置は、
出力される前記出力対象を取得する出力対象取得手段と、
前記取得された出力対象を特定する出力対象特定手段と、
前記特定された出力対象の内、出力される出力対象部分を特定する出力対象部分特定手段と、
前記出力対象および前記出力対象部分の特定結果に基づいて、前記出力対象部分の出力に対する課金が必要か否かを判定する課金判定手段と、
前記出力対象部分の出力に対する課金が必要であると判定されたときに、前記出力対象部分の課金の内容を示す課金情報を生成する課金情報生成手段と、
前記出力対象部分を出力する出力手段と
を有し、
前記課金装置は、
前記生成された課金情報に基づいて、前記出力対象部分の出力に対する課金を行う
課金システム。
【請求項２】
前記情報出力装置は、
前記出力対象部分を出力する利用者を特定する利用者特定手段
をさらに有し、
前記課金情報生成手段は、前記特定された利用者に対する課金情報を生成する
請求項１に記載の課金システム。
【請求項３】
前記情報出力装置は、
前記出力対象を記憶する出力対象記憶手段
をさらに有し、
前記出力対象取得手段は、前記記憶された出力対象から、前記出力される出力対象を取得する
請求項１または２に記載の課金システム。
【請求項４】
検索に応じて、前記出力対象を配信する配信装置
をさらに有し、
前記情報出力装置は、
前記出力対象の前記出力対象部分を検索する出力対象検索手段
をさらに有し、
前記出力対象取得手段は、前記検索の結果として得られた出力対象に含まれる前記出力対象部分を取得する
請求項１または２に記載の課金システム。
【請求項５】
前記出力対象は、著作物を含み
前記課金判定手段は、前記出力対象および前記出力対象部分の特定結果に基づいて、前記取得された出力対象が、著作物であるときに、課金が必要であると判定する
請求項１〜４のいずれかに記載の課金システム。
【請求項６】
前記課金情報生成手段は、前記出力対象部分に対する著作権料を示す課金情報を生成する
請求項５に記載の課金システム。
【請求項７】
出力の対象となる出力対象の一部または全部を出力する情報出力装置と、前記出力される情報の情報料金を課金する課金装置とによる課金方法であって、
前記情報出力装置は、
出力される前記出力対象を取得し、
前記取得された出力対象を特定し、
前記特定された出力対象の内、出力される出力対象部分を特定し、
前記出力対象および前記出力対象部分の特定結果に基づいて、前記出力対象部分の出力に対する課金が必要か否かを判定し、
前記出力対象部分の出力に対する課金が必要であると判定されたときに、前記出力対象部分の課金の内容を示す課金情報を生成し、
前記出力対象部分を出力し、
前記課金装置は、
前記生成された課金情報に基づいて、前記出力対象部分の出力に対する課金を行う
課金方法。
【請求項８】
出力の対象となる出力対象の一部または全部を出力する情報出力装置と、課金装置とを有する課金システムにおける前記情報出力装置のプログラムであって、前記課金装置は、前記生成された課金情報に基づいて、前記出力対象部分の出力に対する課金を行い、
出力される前記出力対象を取得する出力対象取得ステップと、
前記取得された出力対象を特定する出力対象特定ステップと、
前記特定された出力対象の内、出力される出力対象部分を特定する出力対象部分特定ステップと、
前記出力対象および前記出力対象部分の特定結果に基づいて、前記出力対象部分の出力に対する課金が必要か否かを判定する課金判定ステップと、
前記出力対象部分の出力に対する課金が必要であると判定されたときに、前記出力対象部分の課金の内容を示す課金情報を生成する課金情報生成ステップと、
前記出力対象部分を出力する出力ステップと
をコンピュータに実行させるプログラム。
【請求項９】
前記出力対象部分を出力する利用者を特定する利用者特定ステップ
をさらにコンピュータに実行させ、
前記課金情報生成ステップは、前記特定された利用者に対する課金情報を生成する
請求項８に記載のプログラム。
【請求項１０】
前記出力対象を記憶する出力対象記憶ステップ
をさらにコンピュータに実行させ、
前記出力対象取得ステップは、前記記憶された出力対象から、前記出力される出力対象を取得する
請求項８または９に記載のプログラム。
【請求項１１】
前記課金システムは、検索に応じて、前記出力対象を配信する配信装置をさらに有し、
前記出力対象の前記出力対象部分を検索する出力対象検索ステップ
をさらにコンピュータに実行させ、
前記出力対象取得ステップは、前記検索の結果として得られた出力対象に含まれる前記出力対象部分を取得する
請求項８または９に記載のプログラム。
【請求項１２】
前記出力対象は、著作物を含み
前記課金判定ステップは、前記出力対象および前記出力対象部分の特定結果に基づいて、前記取得された出力対象が、著作物であるときに、課金が必要であると判定する
請求項８〜１１のいずれかに記載のプログラム。
【請求項１３】
前記課金情報生成ステップは、前記出力対象部分に対する著作権料を示す課金情報を生成する
請求項１２に記載のプログラム。
【発明の詳細な説明】
【技術分野】
【０００１】
本発明は、著作物の複写および配信などに対する課金を行う課金システムおよびその方法に関する。
【背景技術】
【０００２】
例えば、特許文献１は、原稿の一部から原稿ＩＤを特定し、原本データを取り寄せる方法を開示する。
しかしながら、この方法では、著作権を管理することはなく、原稿を特定するだけである。
【０００３】
また、例えば、特許文献２は、文書やフォントなどリソースの使用状況ごとに課金する方法を開示する。
しかしながら、この方法では、原稿データを管理することはできない。
これらの文献の他に、例えば、特許文献３は、複写される著作物の複写枚数の実態を、管理団体の外部データベースを用いて管理する方法を開示する。
【特許文献１】特開２００２−１４９７８号公報
【特許文献２】特開２００３−１５０８６２号公報
【特許文献３】特開２００２−２０９０３９号公報
【発明の開示】
【発明が解決しようとする課題】
【０００４】
本発明は、上述した背景からなされたものであり、著作権の管理と、著作権料の徴収とを行うことができる課金システムおよびその方法を提供することを目的とする。
【課題を解決するための手段】
【０００５】
上記目的を達成するために、本発明にかかる課金システムは、出力の対象となる出力対象の一部または全部を出力する情報出力装置と、課金装置とを有する課金システムであって、前記情報出力装置は、出力される前記出力対象を取得する出力対象取得手段と、前記取得された出力対象を特定する出力対象特定手段と、前記特定された出力対象の内、出力される出力対象部分を特定する出力対象部分特定手段と、前記出力対象および前記出力対象部分の特定結果に基づいて、前記出力対象部分の出力に対する課金が必要か否かを判定する課金判定手段と、前記出力対象部分の出力に対する課金が必要であると判定されたときに、前記出力対象部分の課金の内容を示す課金情報を生成する課金情報生成手段と、前記出力対象部分を出力する出力手段とを有し、前記課金装置は、前記生成された課金情報に基づいて、前記出力対象部分の出力に対する課金を行う。
【０００６】
好適には、前記情報出力装置は、前記出力対象部分を出力する利用者を特定する利用者特定手段をさらに有し、前記課金情報生成手段は、前記特定された利用者に対する課金情報を生成する。
【０００７】
好適には、前記情報出力装置は、前記出力対象を記憶する出力対象記憶手段
をさらに有し、前記出力対象取得手段は、前記記憶された出力対象から、前記出力される出力対象を取得する。
【０００８】
好適には、検索に応じて、前記出力対象を配信する配信装置をさらに有し、前記情報出力装置は、前記出力対象の前記出力対象部分を検索する出力対象検索手段をさらに有し、前記出力対象取得手段は、前記検索の結果として得られた出力対象に含まれる前記出力対象部分を取得する。
【０００９】
好適には、前記出力対象は、著作物を含み前記課金判定手段は、前記出力対象および前記出力対象部分の特定結果に基づいて、前記取得された出力対象が、著作物であるときに、課金が必要であると判定する。
【００１０】
好適には、前記課金情報生成手段は、前記出力対象部分に対する著作権料を示す課金情報を生成する。
【００１１】
また、本発明にかかる課金方法は、出力の対象となる出力対象の一部または全部を出力する情報出力装置と、前記出力される情報の情報料金を課金する課金装置とによる課金方法であって、前記情報出力装置は、出力される前記出力対象を取得し、
前記取得された出力対象を特定し、前記特定された出力対象の内、出力される出力対象部分を特定し、前記出力対象および前記出力対象部分の特定結果に基づいて、前記出力対象部分の出力に対する課金が必要か否かを判定し、前記出力対象部分の出力に対する課金が必要であると判定されたときに、前記出力対象部分の課金の内容を示す課金情報を生成し、前記出力対象部分を出力し、前記課金装置は、前記生成された課金情報に基づいて、前記出力対象部分の出力に対する課金を行う。
【００１２】
また、本発明にかかるプログラムは、出力の対象となる出力対象の一部または全部を出力する情報出力装置と、課金装置とを有する課金システムにおける前記情報出力装置のプログラムであって、前記課金装置は、前記生成された課金情報に基づいて、前記出力対象部分の出力に対する課金を行い、出力される前記出力対象を取得する出力対象取得ステップと、前記取得された出力対象を特定する出力対象特定ステップと、前記特定された出力対象の内、出力される出力対象部分を特定する出力対象部分特定ステップと、前記出力対象および前記出力対象部分の特定結果に基づいて、前記出力対象部分の出力に対する課金が必要か否かを判定する課金判定ステップと、前記出力対象部分の出力に対する課金が必要であると判定されたときに、前記出力対象部分の課金の内容を示す課金情報を生成する課金情報生成ステップと、前記出力対象部分を出力する出力ステップとをコンピュータに実行させる。
【発明の効果】
【００１３】
本発明によれば、著作権の管理と、著作権料の徴収とを行うことができる。
【発明を実施するための最良の形態】
【００１４】
［本発明の概容］
本発明の実施形態の説明に先立ち、理解を容易にするために、まず、その概容を説明する。
図１は、本発明にかかる課金方法の概容を例示する図である。
図２は、著作物（原稿）に付され、著作権の管理および課金に用いられる情報を例示する図である。
なお、図１においては、情報の流れが実線の矢印により、料金の流れが点線の矢印により例示されている。
図１に示すように、著作権管理団体（著作権管理システム）は、国や対象物に応じて複数存在する。
【００１５】
本発明にかかる課金方法において、複写の対象となる著作物には、例えば、図２に示すように、バーコード、電子透かし、著作物およびそのページごとに異なるパターン、あるいは、ＲＦＩＤ（ＩＣタグ）などの様々な形式で、複写の対象となる著作物（出力対象）を特定するための情報、および、実際に複写されるページなどの著作物の一部または全部（出力対象部分）を特定するための情報が付される。
著作権者が、それぞれ、著作権管理団体と委託契約を結ぶと、著作物のＩＳＢＮ（国際標準図書番号）、タイトル、著者、出版社などの情報が、著作権管理団体により管理されるデータベースに登録される。
【００１６】
利用者による著作物の複写が行われるときには、複写機において、著作物に付された情報（図２）に基づいて、その著作物が登録されたデータベースが参照されて、課金情報が生成され、課金情報データベース（ＤＢ）に記録される。
後日、あるいは、定期的に、料金徴収代行団体が、各複写機内の課金情報ＤＢから、課金情報を得て、利用者および複写機の所有者から著作権料を徴収し、提供された著作物を管理する著作権管理団体に支払う。
著作権管理団体からは、委託契約に基づいて、複写物の量に応じて、従量的に、著作権者に著作権料が支払われる。
【００１７】
［ネットワークシステム１］
図３は、図１に示した本発明にかかる課金方法が適応されるネットワークシステム１の構成を例示する図である。
図３に示すように、ネットワークシステム１は、それぞれ１つ以上の著作権管理団体の著作権管理システム６、料金徴収代行団体の料金徴収代行システム３、複写機４、利用者のコンピュータ（利用者ＰＣ）１０２、著作物を複写する利用者、著作権者、著作権管理団体および料金徴収代行団体が利用する金融機関１０４が、ＬＡＮ、ＷＡＮあるいはインターネットなどのネットワーク１００を介して、通信可能に接続された構成を採る。
なお、以下の各図においては、実質的に同様な構成部分あるいは処理には、同一の符号が付され、重複した説明は、適宜、省略されている。
【００１８】
著作権管理システム６、料金徴収代行システム３および金融機関１０４は、例えば、それぞれ１台以上のコンピュータ（ＰＣ）２２およびサーバ２４が、ＬＡＮ２０などのネットワークを介して接続された構成を採る。
ネットワークシステム１は、これらの構成部分により、図１に示した本発明にかかる課金方法を実現する。
【００１９】
なお、以下、著作権管理システム６、料金徴収代行システム３、複写機４、利用者ＰＣ１０２および金融機関１０４など、ネットワーク１００に接続された構成部分を、単に、ノードとも記す。
また、図３に示した各ノードの機能分担は、例示であって、各ノードの機能分担を変更したり、複数のノードの機能を１つのノードにまとめたり、１つのノードの機能を複数のノードに分散させたりすることは、本発明の技術的範囲に、何らの影響を与えるものではない。
【００２０】
［ハードウェア構成］
図４は、図３に示したＰＣ２２、サーバ２４、利用者ＰＣ１０２および複写機４のハードウェア構成を例示する図である。
図４に示すように、ＰＣ２２、サーバ２４、利用者ＰＣ１０２および複写機４は、ＣＰＵ１２２、メモリ１２４およびこれらの周辺回路などから構成されるコンピュータ本体１２０、ディスプレイ、キーボード、マウス、および、必要に応じて、ＩＣタグからの情報を受ける端末などを含む入力・出力装置１２６、ハードディスク・ＣＤなどの記録媒体１３０に対するデータの書き込み・読み出しを行う記録装置１２８、ネットワーク１００を介した他のノードとの通信を行う通信装置１３２など、それぞれの機能に必要とされるハードウェア構成部分を含んでいる。
【００２１】
複写機４は、さらに、原稿を読み取るためのスキャナ、読み取った原稿、あるいは、データとして送られてきた画像などを印刷するためのプリンタなど、複写機として必要な機能を実現するための機能実現部１３４を含んでいる。
つまり、ＰＣ２２、サーバ２４、利用者ＰＣ１０２および複写機４は、コンピュータとしての構成部分と、その他、それぞれに要求される機能を実現するための構成部分とを含んでいる。
【００２２】
［第１実施例］
以下、本発明の第１の実施例を説明する。
図５は、図３に示した複写機４において実行される第１の複写機プログラム４０の構成を示す図である。
図５に示すように、第１の複写機プログラム４０は、ユーザインターフェース（ＵＩ）部４００、一般的な印刷・複写のための処理を行う第１の複写処理部４２、複写される原稿についての著作権料の課金を行う第１の課金処理部４４から構成される。
複写機プログラム４０は、例えば、記録媒体１３０（図４）を介して複写機４（料金徴収代行システム３などにおいてはＰＣ２２あるいはサーバ２４）に供給され、メモリ１２４にロードされて実行される（以下の各プログラムについて同様）。
【００２３】
複写処理部４２は、画像読込部４２０、画像処理部４２２および出力処理部４２４から構成される。
課金処理部４４は、原稿情報取得部４４０、第１の特定処理部４４２、著作権情報データベース（ＤＢ）４４８、課金情報作成部４５０および課金情報ＤＢ４５２から構成される。
特定処理部４４２は、複写原稿特定部４４４および複写部分特定部４４８から構成される。
【００２４】
複写処理部４２は、これらの構成部分により、複写機４の各構成部分を制御して、原稿（一部が複写されるときにはその部分、以下、特記なき限り同様）の複写のための処理を行う。
課金処理部４４は、これらの構成部分により、原稿が著作物であるか否かを判断し、原稿が著作物であるときには、著作権料の課金のための処理を行う。
【００２５】
複写機プログラム４０において、ＵＩ部４００は、入力・出力装置１２６などに対して行われるユーザの操作を受け入れて、受け入れた操作に従って、複写機プログラム４０の各構成部分の処理を制御する。
【００２６】
複写処理部４２において、画像読込部４２０は、複写機４のスキャナなど（機能実現部１３４；図４）を制御して、原稿の画像を生成させる。
画像読込部４２０は、生成された画像を読み込み、画像処理部４２２に対して出力する。
なお、画像読込部４２０は、原稿に、図２に例示したように、原稿の特定に必要な画像が含まれているときには、読み込んだ画像を、課金処理部４４の原稿情報取得部４４０に対して出力する。
【００２７】
画像処理部４２２は、画像読込部４２０から入力された画像に対して、必要な処理（ビットマップデータの作成、および、１枚の用紙にＮ数の画像を印刷する（Ｎアップ）など）を行い、処理の結果として得られた画像を、画像処理部４２２に対して出力する。
出力処理部４２４は、複写機４のプリンタなどを制御して、画像処理部４２２から入力された画像を印刷する。
【００２８】
課金処理部４４において、原稿情報取得部４４０は、画像読込部４２０から入力される原稿の画像（図２に示したバーコード，パターンなど）、あるいは、入力・出力装置１２６などから入力されるＩＣタグの信号を受け入れる。
原稿情報取得部４４０は、受け入れた画像・信号から、複写の対象となる原稿自体を特定する情報（出力対象情報）、その実際に複写される部分（一部であるときと全部であるときとがある）を特定する情報（出力対象部分情報）、および、必要に応じて、複写を行う利用者を特定するための情報を得るために必要な情報を抽出し、特定処理部４４２に対して出力する。
著作権情報ＤＢ４４８は、著作権が設定された原稿（著作物）を管理するための情報、例えば、原稿が著作物に該当するか、および、原稿のいずれの部分が著作物に該当するかなどを示す情報を記憶する。
【００２９】
特定処理部４４２において、複写原稿特定部４４４は、原稿情報取得部４４０から入力される情報から、いずれの原稿が複写されるのかを特定する
なお、複写原稿特定部４４４による原稿の特定には、例えば、スキャナから読み込まれ、ＯＣＲ(Optical Character Recognition)により識別可能なＩＳＢＮ番号などが用いられ得る。
【００３０】
複写部分特定部４４６は、原稿の内、いずれの部分が複写されるのかを特定する。
なお、複写部分特定部４４６による原稿の複写部分の特定には、例えば、スキャナから読み込まれ、ＯＣＲにより識別可能なページの表示、あるいは、各ページに付されたパターンあるいはバーコードなどが用いられ得る。
【００３１】
特定処理部４４２は、著作権情報ＤＢ４４８に記憶された情報を参照し、特定された原稿およびその部分が、著作物に該当するかを判定し、判定結果と、複写される原稿およびその部分を示す情報とを、課金情報作成部４５０に対して出力する。
課金情報ＤＢ４５２は、原稿の複写のために必要とされる著作権料を示す情報を記憶する。
【００３２】
課金情報作成部４５０は、特定処理部４４２により特定された原稿の複写のために必要とされる著作権料、いずれの複写機４において複写されたか、および、複写された原稿などを示す課金情報を生成する。
課金情報作成部４５０は、生成した課金情報を、課金情報ＤＢ４５２に記憶する。
なお、課金情報ＤＢ４５２における情報の記録形式は、例えば、複写の日時と、著作権者の識別子（ＩＤ）と、著作権料などを対応付けたログの形式であっても、著作権者ごとの著作権料の累加算値であってもよい。
さらに、課金情報作成部４５０は、生成した課金情報を、例えば、料金徴収代行システム３からの要求に応じて、ネットワーク１００（図３）を介して、料金徴収代行システム３に対して送信する。
【００３３】
図６は、図５に示した複写機プログラム４０の処理を示すフローチャートである。
複写機４（図など）に原稿がセットされると、スキャナなど（機能実現部１３４；図４）から、原稿に付され、原稿の特定に用いられる画像・信号が読み出される。
原稿情報取得部４４０（図５）は、このように出力される画像・信号を取得し、必要な情報を抽出して、特定処理部４４２に対して出力する。
【００３４】
図６に示すように、ステップ１００（Ｓ１００）において、複写原稿特定部４４４は、、複写機４にセットされた原稿を特定する。
ステップ１０２（Ｓ１０２）において、複写部分特定部４４６は、原稿の内、複写される部分を特定する。
ステップ１０４（Ｓ１０４）において、特定処理部４４２は、著作権情報ＤＢ４４８に記憶を検索し、原稿が著作物に該当するか否かを判断するための情報を得る。
【００３５】
ステップ１０６（Ｓ１０６）において、特定処理部４４２は、複写される原稿が著作物であるか否かを判断する。
複写機プログラム４０は、原稿が著作物であるときにはＳ１０８の処理に進み、これ以外のときにはＳ１１２の処理に進む。
【００３６】
ステップ１０８（Ｓ１０８）において、課金情報作成部４５０は、課金情報ＤＢ４５２を参照して、特定処理部４４２により特定された原稿の複写についての課金情報を生成する。
ステップ１１０（Ｓ１１０）において、課金情報作成部４５０は、生成した課金情報を、課金情報ＤＢ４５２に記憶し、あるいは、料金徴収代行システム３（図３）からの要求に応じて、料金徴収代行システム３に対して送信する。
ステップ１１２（Ｓ１１２）において、複写処理部４２は、原稿の複写を行う。
【００３７】
［料金徴収代行プログラム３０］
図７は、図３に示した料金徴収代行システム３において実行される料金徴収代行プログラム３０の構成を示す図である。
図７に示すように、料金徴収代行プログラム３０は、課金処理部３００、課金情報管理部３０２および課金ＤＢ３０４から構成される。
料金徴収代行プログラム３０は、これらの構成部分により、複写機４それぞれから課金情報を収集し、著作権管理システム６を代行して、複写された原稿の著作権を、利用者から徴収し、あるいは、課金情報を、各著作権管理システム６に対して通知する。
【００３８】
課金情報管理部３０２は、課金処理部３００および課金ＤＢ３０４の処理を制御する。
課金処理部３００は、課金情報管理部３０２の制御に従って、複写機４（複写機プログラム４０）それぞれに対して、課金情報の送信を要求し、複写機４それぞれから返された課金情報を、課金情報管理部３０２を介して課金ＤＢ３０４に記憶させる。
また、課金処理部３００は、課金情報管理部３０２を介して入力される課金情報を、著作権管理システム６に対して送信し、あるいは、課金情報に従って、金融機関１０４との間で、利用者あるいは複写機４に対する課金のための処理を行う。
【００３９】
［著作権管理プログラム６０］
図８は、図３に示した著作権管理システム６において実行される著作権管理プログラム６０の構成を示す図である。
図８に示すように、著作権管理プログラム６０は、課金部６２および原稿配信部６４から構成される。
課金部６２は、課金処理部６２０および課金ＤＢ６２２から構成される。
原稿配信部６４は、著作物管理・検索部６４０および著作物ＤＢ６４２から構成される。
著作権管理プログラム６０は、これらの構成部分により、複写された原稿の著作権料の課金、および、著作物の管理および配信を行う。
【００４０】
課金部６２において、課金処理部６２０は、料金徴収代行システム３から入力される著作権情報を、課金ＤＢ６２２に記憶し、金融機関１０４との間で、利用者または複写機４に対する課金のための処理を行う。
原稿配信部６４において、著作権ＤＢ６４２は、複写機４に原稿として配信される可能性がある著作物と、その管理に必要な情報を記憶する。
【００４１】
著作物管理・検索部６４０は、複写機４からの要求に応じて、著作権ＤＢ６４２を検索し、検索の結果として得られた著作物を、複写機４において印刷される原稿として、ネットワーク１００を介して、複写機４に対して送信する。
また、著作物管理・検索部６４０は、課金処理部６２０から入力される課金情報を処理し、著作権ＤＢ６４２に記憶されている著作物を管理する。
【００４２】
［預金プログラム１０６］
図９は、図３に示した金融機関１０４において実行される預金プログラム１０６の構成を示す図である。
図９に示すように、預金プログラム１０６は、預金管理部１０８および預金ＤＢ１１０から構成される。
預金プログラム１０６は、これらの構成部分により、利用者、料金徴収代行システム３および著作権管理システム６の預金口座を管理する。
また、預金プログラム１０６は、料金徴収代行システム３または複写機４との間の課金処理に応じて、利用者、料金徴収代行システム３および著作権管理システム６の預金残高を増減させる。
【００４３】
［全体動作］
以下、ネットワークシステム１（図３）における課金を全体的に説明する。
図１０，図１１は、図３に示したネットワークシステム１における第１，第２の課金処理Ｓ２０，Ｓ２２を示すシーケンス図である。
利用者が、複写機４に原稿をセットすると、図１０に示すように、ステップ２００（Ｓ２００）において、複写機４は、原稿の内、実際に複写される部分を読み込む。
【００４４】
ステップ２０２（Ｓ２０２）において、複写機４は、読み込まれた原稿が著作物であるか否かを判断し、原稿が著作物であるときには課金情報を作成し、記憶する。
複写機４は、料金徴収代行システム３からの要求などに応じて、記憶した課金情報を、料金徴収代行システム３に対して送信する。
ステップ２０４（Ｓ２０４）において、料金徴収代行システム３は、金融機関１０４との間で課金処理を行う。
【００４５】
なお、図１０に示した処理は、以下のように変更可能である。
つまり、図１１に示すように、ステップ２２０（Ｓ２２０）において、料金徴収代行システム３が、著作権管理システム６に対して課金情報を送信する。
ステップ２２２（Ｓ２２２）において、著作権管理システム６が、金融機関１０４に対する課金処理を行う。
【００４６】
以上の処理（Ｓ２０，Ｓ２２）の結果、図１０，図１１に点線で示すように、著作権管理システム６に対して著作権料が支払われ、料金徴収代行システム３には手数料が支払われることとなる。
なお、図１０，図１１に示した動作においては、複写機４を用いて複写を行った利用者を識別することはない。
【００４７】
従って、図１０，図１１に示した処理は、例えば、複写機４による複写料金・メンテナンス料金に、予め、著作権料を上乗せしておき、料金徴収代行システム３が、上乗せされた著作権料を、著作権管理システム６に分配する方法に適している。
なお、課金処理が終了した後は、必要に応じて、著作権管理システム６などにより、複写機４（課金情報ＤＢ４５２）に記憶された課金情報は、消去される。
以上説明した課金処理は、原稿の複写以外に、利用者ＰＣ１０２による情報の複写・出力にも応用可能である。
【００４８】
［第２実施例］
以下、本発明の第２の実施例を説明する。
図１２は、図３に示した複写機４において実行される第２の複写機プログラム４６の構成を示す図である。
図１２に示すように、第２の複写機プログラム４６は、第１の複写機プログラム４０における第１の課金処理部４４を、第２の課金処理部４８に置換した構成を採る。
【００４９】
第２の課金処理部４８は、第１の原稿情報取得部４４０を、第２の原稿情報取得部４８０に置換し、第１の特定処理部４４２を、第２の特定処理部５０に置換し、さらに、利用者情報ＤＢ４８２を追加した構成を採り、第２の特定処理部５０は、第１の特定処理部４４２に、利用者特定部５００を追加した構成を採る。
複写機プログラム４６は、これらの構成部分により、複写機４を用いて複写を行う利用者ごとの課金を行う。
【００５０】
課金処理部４８において、原稿情報取得部４８０は、例えば、入力・出力装置１２６（図４）に対して入力され、原稿情報取得部４４０が受け入れた情報の他に、利用者を識別するための利用者情報（例えば、ＩＤ・パスワード、磁気カード・ＩＣタグに記憶された情報、指紋）を、さらに読み込み、利用者特定部５００に対して出力する。
利用者情報ＤＢ４８２は、複写機４の利用者を特定するための情報を記憶する。
【００５１】
特定処理部５０にいて、利用者特定部５００は、利用者情報ＤＢ４８２を参照し、原稿情報取得部４８０が読み込んだ利用者情報が示す利用者を特定し、課金情報作成部４５０に対して通知する。
第２の複写機プログラム４６において、課金情報作成部４５０は、課金情報を、利用者ごとに生成し、課金情報ＤＢ４５２に記憶させ、あるいは、料金徴収代行システム３からの要求に応じて、料金徴収代行システム３に対して送信する。
【００５２】
図１３は、図１２に示した第２の複写機プログラム４６の処理を示すフローチャートである。
複写機４（図３など）に原稿がセットされると、スキャナなど（機能実現部１３４；図４）から、原稿に付され、原稿の特定に用いられる画像・信号と、入力・出力装置１２６などから、利用者を特定する画像・信号が読み出される。
【００５３】
原稿情報取得部４８０（図１２）は、このように出力される画像・信号を取得し、必要な情報を抽出して、特定処理部５０に対して出力する。
図１３に示すように、ステップ１２０（Ｓ１２０）において、利用者特定部５００は、利用者情報ＤＢ４８２を参照し、原稿情報取得部４８０から入力された画像・信号から、利用者を特定する。
ステップ１２２（Ｓ１２２）において、課金情報作成部４５０は、利用者特定部５００により特定された利用者ごとに、課金情報を作成し、課金情報ＤＢ４５２に記憶し、あるいは、要求に応じて料金徴収代行システム３に対して送信する。
【００５４】
以上のように、複写機プログラム４６を構成することにより、利用者ごとに、きめ細かいサービスを提供をすることができるようになる。
この具体的として、複写機プログラム４６を用いることにより、現在、広く行われている学生・教職員に対するアカデミックプライス設定の複写への応用、あるいは、著作権者自身による複写の際に課金を行わないなどのサービスを挙げることができる。
また、このように、利用者ごとの課金処理を行うと、利用者が、著作権の範囲内で行った複写に対してのみ課金し、著作権の範囲外で行った複写に対する課金を行わないといったこともできるようになる。
【００５５】
［第３実施例］
以下、本発明の第３実施例を説明する。
図１４は、図３に示した複写機４において実行される第３の複写機プログラム５２の構成を示す図である。
図１４に示すように、複写機プログラム５２は、図５に示した第１の複写処理部４２を、第２の複写処理部５２で置換した構成を採り、第２の複写処理部５２は、第１の複写処理部４２に、原稿ＤＢ５４０を追加した構成を採る。
【００５６】
原稿ＤＢ５４０には、複写機４において出力可能な原稿（著作物）の情報と、原稿を特定するための情報が記憶される。
原稿ＤＢ５４０は、原稿の情報を、原稿情報取得部４４０に対して出力し、原稿の特定に用いられる情報を、画像読込部４２０に対して出力する。
つまり、複写処理部５２は、原稿ＤＢ５４０に記憶された原稿を出力するとともに、その課金を行うことができるように構成されている。
【００５７】
図１５は、図１４に示した第３の複写処理部５２の処理を示すフローチャートである。
図１６は、ＵＩ部４００により入力・出力装置１２６に表示される操作用画像を例示する図である。
ＵＩ部４００が、図１６に例示するような操作用画像（ＵＩ画像）を入力・出力装置１２６に表示すると、利用者は、このＵＩ画像を用いて、出力（印刷）したい原稿と、その部分（例えば、最初のページと最後のページ）とを選択する。
【００５８】
原稿ＤＢ５４０は、この選択に応じて、原稿を画像読込部４２０に対して出力し、原稿を特定するための情報を原稿情報取得部４４０に対して出力する。
複写原稿特定部４４４および複写部分特定部４４６は、この選択に基づいて、原稿の特定を行う。
【００５９】
図１５に示すように、ステップ１４０（Ｓ１４０）において、第２の複写処理部５２は、プリンタ（機能実現部１３４；図４）を制御して、原稿ＤＢ５４０が出力した原稿を印刷する。
同様に、ステップ１４２（Ｓ１４２）において、第２の複写処理部５２は、機能実現部１３４（図４）を制御して、原稿ＤＢ５４０が出力した原稿を印刷する。
但し、Ｓ１４２の処理においては、スキャナ（機能実現部１３４）から読み込まれた画像を印刷する複写が行われることがある。
【００６０】
以上説明したように、原稿ＤＢ５４０に記憶された原稿を直接、印刷すると、利用者は、ハードコピーされた原稿を複写するときよりも、高品質な印刷結果を得ることができる。
なお、複写処理部５２は、ここでは、利用者別の課金処理を行わない場合を例示したが、第２の複写機プログラム４６の機能と、第３の複写処理部５２の機能とは、矛盾等が生じない限り、組み合わせて使うことができる（以下、同様）。
【００６１】
［第４実施例］
以下、本発明の第４実施例を説明する。
図１７は、図３に示した複写機４において実行される第４の複写機プログラム５６の構成を示す図である。
図１７に示すように、第４の複写機プログラム５６は、図５に示した第１の複写機プログラム４０の第１の課金処理部４４を、第３の複写処理部５８で置換し、第３の複写処理部５８は、第１の複写処理部４２に、原稿検索部５８０を付加した構成を採る。
【００６２】
原稿検索部５８０は、例えば、図１５に例示した利用者の操作に応じて、著作権管理システム６に対して、原稿（著作物）の検索を要求し、この要求に応じて返される原稿を、画像読込部４２０に対して出力する。
但し、著作権管理システム６から複写機４への原稿の送信は、ネットワーク１００を介したデータ転送あるいは電子メールの他、ＦＡＸ通信あるいは郵送などの非電子的な方法によってもよい。
【００６３】
図１８は、図１７に示した第４の複写処理部５６の処理を示すフローチャートである。
ＵＩ部４００が、図１６に例示したような操作用画像（ＵＩ画像）を入力・出力装置１２６に表示すると、利用者は、このＵＩ画像を用いて、出力（印刷）したい原稿と、その部分とを選択する。
【００６４】
図１８に示すように、ステップ１６０（Ｓ１６０）において、原稿検索部５８０は、複写機４に対して、選択された原稿の検索を要求する。
複写処理部５８は、この要求に応じて返された原稿の画像を印刷する。
ステップ１６２（Ｓ１６２）においても、原稿検索部５８０は、検索に応じて返される原稿の画像を印刷する。
但し、  但し、Ｓ１６２の処理においては、スキャナ（機能実現部１３４）から読み込まれた画像を印刷する複写が行われることがある。
【００６５】
［全体動作］
図１９は、図３に示したネットワークシステム１における第３の課金処理Ｓ２４を示すシーケンス図である。
図１９に示すように、ステップ２４０（Ｓ２４０）において、複写機４は、著作権管理システム６に対して、原稿（著作物）の検索を要求する。
ステップ２４２（Ｓ２４２）において、著作権管理システム６は、検索の要求に応じて、要求された原稿（著作物）を探しだし、複写機４に返す。
ステップ２４４（Ｓ２４４）において、複写機４は、著作権管理システム６から返された原稿を印刷する。
【００６６】
［利益］
ここまでに説明した各実施例により、以下のような利益が得られる。
例えば、著作物（原稿）の利用者（利用団体）の数をｎとし、著作権管理団体の数をｍとし、料金の平均振り込み手数料をｋとし、料金徴収代行団体による代行手数料をｋ’とする。
【００６７】
この場合、著作権管理団体が直接、代金を徴収すると、各利用者は、振り込み料金としてｋｍ（円）だけの費用を要する。
これに対して、料金徴収代行団体が料金徴収を代行すると、各利用者の費用はｋ’（円）で済むことになる。
従って、本発明にかかる方法によると、利用者には、ｋｍ−ｋ’（円）分の利益がもたらされることになる。
【００６８】
著作権を管理する団体がｍある場合、それぞれに振込む際の振込み手数料の総額はｋ×ｍとなる。
料金徴収代行団体が、著作権管理団体に総額を振り込む際の振込み手数料も、振り込み手数料が一定ならｋ×ｍとなる（但し、実際には、総額が高額なら、手数料が多少高くなる可能性がある）。
代行手数料の収入はｋ’×ｎなので、その差額は、ｋ’×ｎ−ｋ×ｍ（利用者から徴収する手数料と振込みにかかる料金の差額）となる。
従って、料金徴収代行団体が、ｋｍ−ｋ'＞０であって、ｋ'ｎ−ｋｍ＞０となるような手数料ｋ'を設定すると、利益を上げることができる。
【００６９】
本発明にかかる課金方法によると、著作権料を徴収する代わりに、原稿の電子データを提供することができ、これにより、利用者は単なる複写物より画質の良い原稿を得ることができる。
また、本発明にかかる課金方法において、複写したい部分の指示方法を工夫することにより、製本された著作物においては、複写したいページを都度開く必要がなくなり、複雑なページめくり装置なども不要になる。
【００７０】
また、本発明にかかる課金方法によると、２次元バーコードやＩＣタグ（ＲＦＩＤ）などを用いたセンシング技術の進歩により、著作物のページなどを特定して利用することができる。
また、本発明にかかる課金方法によると、適正な著作権料の課金さえできれば、利用者の利便性を損ねることなく、著作権の保護が可能になる。
また、本発明にかかる課金方法によると、さらに、著作権料の課金のために原稿が特定できれば、原稿の電子画像を入手することが容易であり、画質の良い複写原稿を提供することができる。
【産業上の利用可能性】
【００７１】
本発明は、著作物の複写などに対する課金のために利用可能である。
【図面の簡単な説明】
【００７２】
【図１】本発明にかかる課金方法の概容を例示する図である。
【図２】著作物（原稿）に付され、著作権の管理および課金に用いられる情報を例示する図である。
【図３】図１に示した本発明にかかる課金方法が適応されるネットワークシステムの構成を例示する図である。
【図４】図３に示したＰＣ、サーバ、利用者ＰＣおよび複写機のハードウェア構成を例示する図である。
【図５】図３に示した複写機において実行される第１の複写機プログラムの構成を示す図である。
【図６】図５に示した複写機プログラムの処理を示すフローチャートである。
【図７】図３に示した料金徴収代行システムにおいて実行される料金徴収代行プログラムの構成を示す図である。
【図８】図３に示した著作権管理システムにおいて実行される著作権管理プログラムの構成を示す図である。
【図９】図３に示した金融機関において実行される預金プログラムの構成を示す図である。
【図１０】図３に示したネットワークシステムにおける第１の課金処理Ｓ２０を示すシーケンス図である。
【図１１】図３に示したネットワークシステムにおける第２の課金処理Ｓ２２を示すシーケンス図である。
【図１２】図３に示した複写機において実行される第２の複写機プログラムの構成を示す図である。
【図１３】図１２に示した第２の複写機プログラムの処理を示すフローチャートである。
【図１４】図３に示した複写機において実行される第３の複写機プログラムの構成を示す図である。
【図１５】図１４に示した第３の複写処理部の処理を示すフローチャートである。
【図１６】ＵＩ部により入力・出力装置に表示される操作用画像を例示する図である。
【図１７】図３に示した複写機において実行される第４の複写機プログラムの構成を示す図である。
【図１８】図１７に示した第４の複写処理部の処理を示すフローチャートである。
【図１９】図３に示したネットワークシステムにおける第３の課金処理Ｓ２４を示すシーケンス図である。
【符号の説明】
【００７３】
１・・・ネットワークシステム、
１０２・・・利用者ＰＣ、
１２０・・・コンピュータ本体、
１２２・・・ＣＰＵ、
１２４・・・メモリ、
１２６・・・入力・出力装置、
１２８・・・記録装置、
１３０・・・記録媒体、
１３４・・・機能実現部、
１０４・・・金融機関、
１０６・・・預金プログラム、
１０８・・・預金管理部、
１１０・・・預金ＤＢ、
３・・・料金徴収代行システム、
２２・・・ＰＣ、
２４・・・サーバ、
３０・・・料金徴収代行プログラム、
３００・・・課金処理部、
３０２・・・課金情報管理部、
３０４・・・課金ＤＢ、
４・・・複写機、
４０，４６，５２，５６・・・複写機プログラム、
４２，５４，５８・・・複写処理部、
４２０・・・画像読込部、
４２２・・・画像処理部、
４２４・・・出力処理部、
５４０・・・原稿ＤＢ、
５８０・・・原稿検索部、
４４，４８・・・課金処理部、
４４０，４８０・・・原稿情報取得部、
４４２，５０・・・特定処理部、
４４４・・・複写原稿特定部、
４４６・・・複写部分特定部、
４４８・・・著作権情報ＤＢ、
５００・・・利用者特定部、
４５０・・・課金情報作成部、
４５２・・・課金情報ＤＢ、
４８２・・・利用者情報ＤＢ、
６・・・著作権管理システム、
６０・・・著作権管理プログラム、
６２・・・課金部、
６２０・・・課金処理部、
６２２・・・課金ＤＢ、
６４・・・原稿配信部、
６４２・・・著作権ＤＢ、
【図１】
2005182442.tif 000003
【図２】
2005182442.tif 000004
【図３】
2005182442.tif 000005
【図４】
2005182442.tif 000006
【図５】
2005182442.tif 000007
【図６】
2005182442.tif 000008
【図７】
2005182442.tif 000009
【図８】
2005182442.tif 000010
【図９】
2005182442.tif 000011
【図１０】
2005182442.tif 000012
【図１１】
2005182442.tif 000013
【図１２】
2005182442.tif 000014
【図１３】
2005182442.tif 000015
【図１４】
2005182442.tif 000016
【図１５】
2005182442.tif 000017
【図１６】
2005182442.tif 000018
【図１７】
2005182442.tif 000019
【図１８】
2005182442.tif 000020
【図１９】
2005182442.tif 000021